(57)【要約】【課題】  本発明の実施形態は、監視制御装置が高温または低温の環境下に設置された場合でも容易にコントラスト調整を可能とする監視制御装置およびその画面表示方法を提供することを目的とする。【解決手段】  本発明の実施形態の監視制御装置は、電力系統の監視制御情報または設定値を表示させる情報表示部と、前記情報表示部のコントラスト感度を調整するためのコントラスト調整指令が入力される入力部と、前記入力部に対して前記コントラスト調整指令が入力された場合、前記表示部のコントラスト感度を、事前に設定されたコントラスト感度範囲における最大値または最小値に変更するコントラスト調整部と、を備える。【選択図】図１
2013125103.tif 000002
【特許請求の範囲】
【請求項１】
電力系統の監視制御情報または設定値を表示させる情報表示部と、
前記情報表示部のコントラスト感度を調整するためのコントラスト調整指令が入力される入力部と、
前記入力部に対して前記コントラスト調整指令が入力された場合、前記表示部のコントラスト感度を、事前に設定されたコントラスト感度範囲における最大値または最小値に変更するコントラスト調整部と、
を備える監視制御装置。
【請求項２】
電力系統の監視制御情報または設定値を表示部に表示させる情報表示手順と、
前記表示部のコントラスト感度を調整するためのコントラスト調整指令が入力される入力手順と、
前記コントラスト調整指令が入力された場合、前記表示部のコントラスト感度を、事前に設定されたコントラスト感度範囲における最大値または最小値に変更するコントラスト調整手順と、
を備える画面表示方法。
【発明の詳細な説明】
【技術分野】
【０００１】
本発明の実施形態は、監視制御装置およびその画面表示方法に関する。
【背景技術】
【０００２】
一般的に監視制御装置には監視対象の状態表示や監視制御装置の設定値設定などを実施するため、ＬＣＤによる情報表示画面が実装されている。
【０００３】
また、情報表示画面はコントラスト調整が可能となっており、監視制御装置のボタンなどを操作することにより情報表示画面に表示されたメニューをたどってコントラスト調整画面へ移行してコントラストを調整する。
【０００４】
監視制御装置は周囲温度が高温または低温の環境下に設置される場合が考えられる。周囲温度が高温または低温の環境下においては監視制御装置の情報表示画面に表示されている情報の認識ができなくなることがある。情報表示画面の表示情報の認識ができないと、監視状態の確認や監視制御装置への設定ができずに、監視制御装置が利用できなくなってしまう。
【０００５】
ここで、情報表示画面のコントラストを調整し、情報表示画面の表示情報を認識可能としたい。しかし、コントラスト調整メニュー画面を表示するためには数回の画面操作が必要であるにもかかわらず、情報表示画面自身がコントラスト異常の為に情報表示画面の表示そのものが読めず、コントラスト調整メニュー画面に移行することも、操作することもできず、コントラストの調整ができない。また、前述の特許文献では表示データや輝度から自動でコントラスト調整を実施するが、コントラスト調整の原因が周囲温度であるため、表示データや輝度によるコントラスト感度の改善は期待できない。
【先行技術文献】
【特許文献】
【０００６】
【特許文献１】特開２０１０−２００７２号公報
【発明の概要】
【発明が解決しようとする課題】
【０００７】
本発明の実施形態は、監視制御装置が高温または低温の環境下に設置された場合でも容易にコントラスト調整を可能とする監視制御装置およびその画面表示方法を提供することを目的とする。
【課題を解決するための手段】
【０００８】
本発明の実施形態の監視制御装置は、電力系統の監視制御情報または設定値を表示させる情報表示部と、前記情報表示部のコントラスト感度を調整するためのコントラスト調整指令が入力される入力部と、前記入力部に対して前記コントラスト調整指令が入力された場合、前記表示部のコントラスト感度を、事前に設定されたコントラスト感度範囲における最大値または最小値に変更するコントラスト調整部と、を備える。
【図面の簡単な説明】
【０００９】
【図１】本発明の実施形態における監視制御装置の構成を示す図。
【発明を実施するための形態】
【００１０】
本発明の実施形態における監視制御装置について図面を参照して説明する。
【００１１】
（実施形態）
（構成）
図１に本発明の実施形態における監視制御装置１０１の構成図を示す。監視制御装置１０１は、電力系統の監視制御情報または設定値を表示させる情報表示画面１０２と、ユーザから監視制御装置１０１に対して操作情報を入力するための入力部１０７と、情報表示画面１０２のコントラスト感度を事前に設定されたコントラスト感度範囲における最大値または最小値に変更するコントラスト調整部１０８とを備える。
【００１２】
さらに、コントラスト調整部１０８は、情報表示画面１０２に対する表示データの処理を実施する表示画面処理部１０３と、情報表示画面１０２のコントラスト調整を実施するコントラスト調整処理部１０４と、表示データや設定値などを保存するメモリ部１０５と、および入力部１０７に入力された操作を判断する入力情報処理部１０６から構成される。
【００１３】
なお、本構成図には本発明に関する部分のみを記載し、その他監視制御に必要な入出力部やＣＰＵなどの基本機能の記載は省略する。
【００１４】
（作用）
監視制御装置１０１設置直後、監視制御装置１０１の情報表示画面１０２は、監視制御装置１０１が設置された周囲温度により情報表示画面１０２に表示された表示情報そのものが読めなくなる場合がある。そのときに、監視制御装置１０１のように情報表示画面１０２を確認してコントラスト調整画面へ移行してコントラスト感度を調整する装置において、入力情報処理部１０６を１度操作するだけでコントラスト感度を事前に設定されたコントラスト感度範囲における最大（または最小）に設定し、画面を表示させる。
【００１５】
ユーザが操作すると、入力部１０７から入力情報処理部１０６に、ユーザの操作に対応した操作情報が送信される。この操作情報には、コントラスト感度を調整するコントラスト調整指令が含まれる。入力情報処理部１０６では、入力部１０７に入力された操作情報が、コントラスト調整の操作であるか否か判断する。入力所法処理部１０６により、コントラスト調整の操作であると判断した場合、つまり、ユーザによって入力部１０６からコントラスト調整指令が入力された場合、コントラスト調整処理部１０４が事前に設定されたコントラスト感度範囲の最大値または最小値のコントラストに変更する。
【００１６】
コントラスト調整指令を受けたコントラスト調整処理部１０４は設定したコントラスト感度をメモリ部１０５に保存する。また、同時に入力情報処理部１０６は表示処理部１０３に対して情報表示指令を出力する。その後、コントラスト感度が最大（または最小）感度に設定された画面が情報表示画面１０２に表示される。
【００１７】
上記操作により情報表示画面１０２の表示情報の認識が可能となれば、コントラスト調整メニュー画面に移行し、最適なコントラスト感度に設定することが可能となる。
【００１８】
ここで、入力情報処理部１０６への入力方法として監視制御装置１０１のスイッチやボタン、通信を利用した方法が考えられるが、これに限られるものではない。さらに、コントラスト調整を実施するための入力手段も既存スイッチの組み合わせなどが考えられるが、これに限られるものではない。また、コントラスト調整後に表示される画面もコントラスト調整画面やメイン画面を表示することが考えられるが、これに限られるものではない。さらに、監視制御装置の状態に依存すること無く、本操作を実行可能とする（監視制御機能に影響は与えない）。
【００１９】
コントラスト感度（最大または最小）の設定は、同じ操作により、１度目は最大感度、２度目は最小感度に設定する操作を繰り返す処理としても、最大感度用と最小感度用で異なるスイッチを設ける方法などが考えられるが、これらに限られるものではない。
【００２０】
（効果）
本実施形態では、利用者が情報表示画面１０２のコントラスト感度を、１度の操作で最小または最大とすることが出来る。そのため、監視制御装置が極度に高温または低温の環境下に設置された場合、画面が認識できない状態での利用者による操作回数を減少させることが出来る。したがって、周囲温度環境に依存することなく容易に監視制御装置の情報表示画面を利用可能とする。
【００２１】
また、一度コントラスト調整を実施すると、調整されたコントラスト感度がメモリ部１０５に保存されるため、次回起動時は起動直後から情報表示画面の表示情報は認識可能となる。
【００２２】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００２３】
１０１…監視制御装置
１０２…情報表示画面
１０３…表示処理部
１０４…コントラスト調整処理部
１０５…メモリ部
１０６…入力処理部
１０７…入力部
１０８…コントラスト調整部
【図１】
2013125103.tif 000003